(57)【要約】      （修正有）【課題】パチンコ機等の遊技機に、キセノンランプの閃光を利用するに当たり、許認可制度の下でも廃棄部品を低減できる構成と、更なる小型化が可能で、複数の閃光発生と、高速繰り返し閃光を可能とする。【解決手段】閃光発生器を電源部１と中継部２と閃光発生部３に分離し、閃光発生部を小型化すると共に、１個の電源部に対して、１個の中継部と、複数の閃光発生部を設け、電源部には大きな静電容量値の充電用コンデンサー９を、中継部には各閃光発生部に供給する静電容量値が小さい放電用コンデンサー２９，３０と充電用抵抗２５，２６を設け、キセノンランプ３２がアーク放電するのに、中継部の放電用コンデンサーの電荷で放電するが、電源部の充電用コンデンサーから流入する電流値は充電用抵抗によって、放電維持電流値以下に制限される。【選択図】図１
2012234786.tif 000002
【特許請求の範囲】
【請求項１】
１個の電源部と１個の中継部と複数個の閃光発生部を有する閃光発生器において、
電源部には、充電用コンデンサーを有し、
前記中継部には前記閃光発生部の１個当てで対応した複数個の充電用抵抗と、放電用コンデンサーを有し、
複数個の閃光発生部の各々には、キセノンランプ、トリガートランス、トリガーコンデンサー、トリガーコンデンサー充電抵抗及びトリガー駆動半導体からなる部品群の内のキセノンランプとトリガートランスを必須として含み、
前記部品群の残余は閃光発生部又は中継部に含まれ、
充電用抵抗の抵抗値は、電源部から中継部の充電用抵抗を介してキセノンランプへ流れる電流値をキセノンランプの放電維持電流値以下に制限出来る抵抗値であると共に、
充電用抵抗の抵抗値と、放電用コンデンサーの静電容量値の積で決まる時間値がトリガー駆動半導体に外部から与えられるパルス信号の時間間隔値より小さく成るように定められている事を特徴とする閃光発生器。
【請求項２】
請求項１であって、
電源部の充電用コンデンサーを充電する充電制御ＩＣは、充電完了信号出力端子と充電開始信号入力端子を有する物であり、
電源部には、前記充電完了信号出力端子からの信号から遅延信号を作成し、同遅延信号と充電開始信号をＡＮＤ処理を行い、ＡＮＤ処理の出力を充電開始信号入力端子に与える継続充電指示手段を備えた
事を特徴とする閃光発生器。
【請求項３】
請求項１であって、
電源部の充電用コンデンサーの両端を、
抵抗を介したジャンパーピンで短絡するか否かで、閃光発生器が使用状態か、非使用状態かを切り換える事を特徴とする閃光発生器。
【請求項４】
請求項１であって、
閃光発生部に含まれるキセノンランプがプリント基板に設けられたキセノンランプ受け切り欠きに納められ直接プリント基板に半田付けされると共に、キセノンランプを内に納め反射板押えによって押圧されてキセノンランプの外周面に圧接させられる反射板がプリント基板の反射板受け切り欠きに納められている事を特徴とする閃光発生器。
【発明の詳細な説明】
【技術分野】
【０００１】  本発明は、パチンコ機、スロット機等の遊技機やアミューズメント装置等に搭載するのに適した閃光発生器に関連する。
【背景技術】
【０００２】  パチンコ機への利用を代表として記載する。現在のパチンコ機は、多くが始動口への入賞のタイミングで大当たりか否かの抽選で遊技が進行する。大当たりの確率は低く、遊技者は大当たりまでに興趣を失いがちになる。
対策として、大当たりするかも知れない状態のリーチ状態等を液晶画面、ランプ、ＬＥＤ表示、音声で盛り上げる。【０００３】ランプ、ＬＥＤでの演出は、各社の製品競争の中で、ＬＥＤの使用個数が数百にも達し、高価で消費電力も無視出来ない状態に成っている。その競争環境の中で特開２００１−２１８８９５、特開２００４−１５９９５３、特開２００４−１８１０３８等でキセノンランプの閃光を用いる技術が公開されている。また、未公開であるが、本発明者が出願した、特願２０１１−５９８６９、特願２０１１−９５５０６がある。
【先行技術文献】
【特許文献】
【０００４】
【特許文献１】特開２００１−２１８８９５
【特許文献２】特開２００４−１５９９５３
【特許文献３】特開２００４−１８１０３８
【特許文献４】特開２００１−３３８５３
【特許文献５】特願２０１１−５９８６９
【特許文献６】特願２０１１−５５５０６
【発明の概要】
【発明が解決しようとする課題】
【０００５】キセノンランプの利用を実用にするには以下の課題を解決する必要がある。
（１）パチンコ機等の許認可の下で用いられる遊技機用の部品、部材は僅かな違いが別物と扱われる、例えば２個のキセノンランプを駆動する製品と５個を駆動する製品は異種とされ、一方の在庫が大量に有っても、別種を新規に作成する必要がある。
よって、共通部分と差異の生ずる部分を分離し、２個用でも５個用でも差異の有る部分のみを作成して対応出来る構成が重要である。
（２）従来ＬＥＤで構成されている電飾装置にキセノンランプを用いるには、ＬＥＤが小型故に既に狭い場所しか与えられていない。さらに、可能な限り小型化の構成が必要である。
（３）キセノンランプは３００Ｖ程の高電圧をコンデンサーに蓄えて用いる。複数個のキセノンランプを用いると、複数個のコンデンサーを非使用時に放電させ、安全確保する必要があるが、煩雑な作業となる。簡単な操作と安価な方式が求められる。
（４）安価な電源部を作るには、カメラ用に大量生産されている部材の利用、流用がポイントであるが、カメラは数秒に１回程の閃光発生、遊技は秒間５〜１０回の閃光発生で使用される。利用には特別な技術が必要である。
上記（１）から（４）が、本願発明が解決しようとする課題である。
【課題を解決する為の手段】
【０００６】    請求項１の閃光発生器は、１個の電源部と１個の中継部と複数個の閃光発生部を有する閃光発生器において、電源部には、充電用コンデンサーを有し、前記中継部には前記閃光発生部の１個当てで対応した複数個の充電用抵抗と、放電用コンデンサーを有し、複数個の閃光発生部の各々には、キセノンランプ、トリガートランス、トリガーコンデンサー、トリガーコンデンサー充電抵抗及びトリガー駆動半導体からなる部品群の内のキセノンランプとトリガートランスを必須として含み、前記部品群の残余すなわちトリガーコンデンサー、トリガーコンデンサー充電抵抗及びトリガー駆動半導体は閃光発生部又は中継部に含まれ、充電用抵抗の抵抗値は、電源部から中継部の充電用抵抗を介してキセノンランプへ流れる電流値をキセノンランプの放電維持電流値以下に制限出来る抵抗値であると共に、充電用抵抗の抵抗値と、放電用コンデンサーの静電容量値の積で決まる時間値がトリガー駆動半導体に外部から与えられるパルス信号の時間間隔値より小さく成るように定められている事を特徴とする閃光発生器であるから、
課題（１）の許認可制度の下で生産するに当たり、使用状況で変化するキセノンランプの数、キセノンランプの明るさ、必要繰り返し閃光時間間隔が中継部のみの変更で対応でき、電源部、閃光発生部は標準品で対応でき、許認可手続きの簡略化、無駄な廃却部品の低減、コストダウンの効果が大きい。又、課題（２）の電飾装置に取り付けられる部分の小型化に大きな効果を出す。
【０００７】    請求項２の閃光発生器は、１個の電源部と１個の中継部と複数個の閃光発生部を有する閃光発生器において、電源部には、充電用コンデンサーを有し、前記中継部には前記閃光発生部の１個当てで対応した複数個の充電用抵抗と、放電用コンデンサーを有し、複数個の閃光発生部の各々には、キセノンランプ、トリガートランス、トリガーコンデンサー、トリガーコンデンサー充電抵抗及びトリガー駆動半導体からなる部品群の内のキセノンランプとトリガートランスを必須として含み、前記部品群の残余は閃光発生部又は中継部に含まれ、充電用抵抗の抵抗値は、電源部から中継部の充電用抵抗を介してキセノンランプへ流れる電流値をキセノンランプの放電維持電流値以下に制限出来る抵抗値であると共に、充電用抵抗の抵抗値と、放電用コンデンサーの静電容量値の積で決まる時間値がトリガー駆動半導体に外部から与えられるパルス信号の時間間隔値より小さく成るように定められている事を特徴とする閃光発生器であると共に、
電源部の充電用コンデンサーを充電する充電制御ＩＣは、充電完了信号出力端子と充電開始信号入力端子を有する物であり、電源部には、前記充電完了信号出力端子からの信号から遅延信号を作成し、同遅延信号と充電開始信号をＡＮＤ処理を行い、ＡＮＤ処理の出力を充電開始信号入力端子に与える継続充電指示手段を備えた事を特徴とする閃光発生器であるから、不定期で高頻度で閃光を発する事が求められる遊技機用に用いて、いかなるタイミングでも閃光を可能とし、課題（４）のカメラ用に大量生産され、安価な部品を利用しながら、遊技機用等の異なる仕様条件に対応出来る効果は大きい。
【０００８】    請求項３の閃光発生器は、１個の電源部と１個の中継部と複数個の閃光発生部を有する閃光発生器において、電源部には、充電用コンデンサーを有し、前記中継部には前記閃光発生部の１個当てで対応した複数個の充電用抵抗と、放電用コンデンサーを有し、複数個の閃光発生部の各々には、キセノンランプ、トリガートランス、トリガーコンデンサー、トリガーコンデンサー充電抵抗及びトリガー駆動半導体からなる部品群の内のキセノンランプとトリガートランスを必須として含み、前記部品群の残余は閃光発生部又は中継部に含まれ、充電用抵抗の抵抗値は、電源部から中継部の充電用抵抗を介してキセノンランプへ流れる電流値をキセノンランプの放電維持電流値以下に制限出来る抵抗値であると共に、充電用抵抗の抵抗値と、放電用コンデンサーの静電容量値の積で決まる時間値がトリガー駆動半導体に外部から与えられるパルス信号の時間間隔値より小さく成るように定められている事を特徴とする閃光発生器であると共に、
電源部の充電用コンデンサーの両端を、抵抗を介したジャンパーピンで短絡するか否かで、閃光発生器が使用状態か、非使用状態かを切り換える事を特徴とする閃光発生器であるから、課題（３）の問題に対して、複数個ある放電用コンデンサー及び、電源部の充電用コンデンサーに溜まった、高電圧による危険に対して、一カ所の放電操作のみで安全が確保出来、効果が大きい。また、スイッチに対してジャンパーピンは小型、安価である効果も大きい。
【０００９】    請求項４の閃光発生器は、１個の電源部と１個の中継部と複数個の閃光発生部を有する閃光発生器において、電源部には、充電用コンデンサーを有し、前記中継部には前記閃光発生部の１個当てで対応した複数個の充電用抵抗と、放電用コンデンサーを有し、複数個の閃光発生部の各々には、キセノンランプ、トリガートランス、トリガーコンデンサー、トリガーコンデンサー充電抵抗及びトリガー駆動半導体からなる部品群の内のキセノンランプとトリガートランスを必須として含み、前記部品群の残余は閃光発生部又は中継部に含まれ、充電用抵抗の抵抗値は、電源部から中継部の充電用抵抗を介してキセノンランプへ流れる電流値をキセノンランプの放電維持電流値以下に制限出来る抵抗値であると共に、充電用抵抗の抵抗値と、放電用コンデンサーの静電容量値の積で決まる時間値がトリガー駆動半導体に外部から与えられるパルス信号の時間間隔値より小さく成るように定められている事を特徴とする閃光発生器であると共に、
閃光発生部に含まれるキセノンランプがプリント基板に設けられたキセノンランプ受け切り欠きに納められ直接プリント基板に半田付けされると共に、キセノンランプを内に納め反射板押えによって押圧されてキセノンランプの外周面に圧接させられる反射板がプリント基板の反射板受け切り欠きに納められている事を特徴とする閃光発生器であるから、課題（２）の閃光発生部の小型化に効果が大きい。特に、反射板を押さえる反射板押さえをバネ性のある燐青銅線材で実現した本方式は小型化と安価の面で特に効果がある。
【００１０】
【図面の簡単な説明】
【００１１】
【図１】  本発明の閃光発生器の第１実施例を示す回路説明図。
【図２】  本発明の閃光発生器の第２実施例を示す回路説明図。
【図３】  本発明の閃光発生器の実施例の動作を説明する動作説明図。
【図４】  本発明の閃光発生器の実施例の動作を説明する動作説明図。
【図５】  本発明の閃光発生器の実施例を示す説明図。
【発明を実施する為の形態】
【００１２】  ［第１実施例］
図１は本発明の閃光発生器の第１実施例を示す回路説明図であり、電源部１と中継部２と閃光発生部３、閃光発生部４で構成される閃光発生器が遊技制御回路４６で動作される状態が示されている。その構成は、電源部１に充電制御ＩＣ５が含まれ、入力コネクター６に与えられた外部電源から５ｖの＋が端子ＶＣＣに与えられる。又、同＋は昇圧トランス７の１次側卷線を介して端子ＳＷに結ばれる。充電制御ＩＣ５の端子ＰＧＮＤは入力コネクター６の−極に結ばれる。以後、−極に結ぶ事をアースする、又はグランドすると言う。
昇圧トランス７の２次側卷線の一方はグランドされ、他方はダイオード８を介して充電用コンデンサー９の＋極に結ばれると共に、出力コネクター１０の＋極に結ばれる。充電用コンデンサー９，出力コネクター１０の他極はグランドされる。
昇圧トランス７の２次卷線とダイオード８の結合点からは符号１１の抵抗Ｒ１と符号１２の抵抗Ｒ２を介し端子ＧＮＤへ結ばれ、抵抗Ｒ１と抵抗Ｒ２の結合点は端子ＶＣに結ばれる。
充電完了信号出力端子である端子ＦＵＬＬからは抵抗１３が結ばれ、抵抗１３の他端はプルアップされる。端子ＦＵＬＬはバッファ１４の入力に結ばれ、同出力は符号１５の抵抗Ｒ３とコンデンサー１６を介してグランドされる。符号１５の抵抗Ｒ３と並列にコンデンサー１６側がアノードのダイオード１７と符号１８の抵抗Ｒ４が結ばれる。
コンデンサー１６とダイオード１７の結合点はＡＮＤ回路１９の一方の入力端子に結ばれ、他方の入力端子は端子ＶＣＣの５ｖ電源に結ばれる、この配線を充電開始信号２０と言う。
ＡＮＤ回路１９の出力は充電開始信号入力端子である、端子ＳＴＡＲＴに結ばれる。
充電用コンデンサー９の両端には抵抗２１とジャンパーピン２２が設けられる。ジャンパーピン２２は４極のヘッダー２３の極ａ、ｂ間、極ｃ、ｄ間に挿入入替えが出来る。極ａは抵抗２１側に結ばれ、極ｂ、ｃ、ｄはグランドに結ばれる。
【００１３】  次ぎに中継部２には入力コネクター２４に前述の電源部１の出力コネクター１０が結ばれ、＋極からは充電用抵抗２５，２６を介して出力コネクター２７，２８の＋極へ結ばれ、各々の−極も結ばれる。出力コネクター２７，２８の＋極、−極間には放電用コンデンサー２９，３０が各々結ばれている。
【００１４】  次ぎに、閃光発生部３は、電源入力コネクター３１の＋極、−極に中継部２の出力コネクター２７から直流電源を受け、キセノンランプ３２が並列に結ばれ、トリガーコンデンサー充電抵抗３３とサイリスタ３４の直列状態品も並列に結ばれる。
前記トリガーコンデンサー充電抵抗３３とサイリスタ３４の結合点はトリガーコンデンサー３６を介してトリガートランス３７の一次側端子に結ばれ、同トリガートランスの一次側の反対端子と二次側端子の結合点は、電源入力コネクター３１の−極に結ばれる。トリガートランス３７の二次側反対端子はキセノンランプ３２のゲート電極に結ばれる。また、抵抗３５がサイリスタ３４のゲートとカソード間に結ばれて、ノイズでの誤動作防止をしている。サイリスタ３４のゲート、カソードは、各々信号入力コネクター３８に結ばれ、外部信号に応じてサイリスタ３４を導通出来るように結ばれる。
サイリスタ３４はトリガー駆動半導体に該当する。
【００１５】  次ぎに、閃光発生部４は、
電源入力コネクター３９の＋極、−極に中継部２の出力コネクター２８から直流電源を受ける。＋極、−極間には、トリガーコンデンサー充電抵抗４０とトリガーコンデンサー４１が並列に、また、キセノンランプ４２の陽電極、陰電極、ＩＧＢＴ４３のコレクタ、エミッタの回路も図示の様に並列に結ばれる。
前記トリガーコンデンサー充電抵抗４０とトリガーコンデンサー４１の結合点はトリガートランス４４の一次側端子に結ばれ、同トリガートランスの一次側の反対端子と二次側端子の結合点は、キセノンランプ４２とＩＧＢＴ４３の結合点に結ばれる。また、トリガートランス４４の二次側反対端子はキセノンランプ４２のゲート電極に結ばれる。ＩＧＢＴ４３のゲート、エミッタは、各々信号入力コネクター４５に結ばれ、外部信号に応じてＩＧＢＴ４３を導通出来るように結ばれる。
ＩＧＢＴ４３はトリガー駆動半導体に該当する。
【００１６】  遊技制御回路４６には直流電源４７が与えられており、入力信号４８を受ける事で、遊技の進行状況に応じてドライバー４９、信号入力コネクター３８を介して、サイリスタ３４のゲートに信号を送る。また、ドライバー５０、信号入力コネクター４５を介して、ＩＧＢＴ４３のゲートに信号を送る。
なお、電源部１、中継部２，閃光発生部３は、それぞれが別個のプリント基板上に構成されており、出力コネクター１０と入力コネクター２４が，出力コネクター２７と電源入力コネクター３１が配線で結ばれている。閃光発生部４に対しても図示の様に、同様の関係で結ばれている。
【００１７】［第２実施例］
次ぎに、図２の本発明の閃光発生器の第２実施例を示す回路説明図で、他の実施例の構成を説明する。図２の実施例は閃光発生に必要なトリガーコンデンサーと、トリガーコンデンサー充電抵抗と、トリガー駆動半導体を中継部に配置するか、閃光発生部に配置するかの点で図１に示す第１実施例とは差異がある。第２実施例の説明では第１実施例と同一の物は同一符号で、配置の差で変化の起きた物には１００番を追加した符号を付け、説明の簡単化に努める。
【００１８】  電源部１は全くの同一であり、図面スペース確保のため、一部省略記載した。
中継部１０２には図１の入力コネクター２４，充電用抵抗２５，２６放電用コンデンサー２９，３０がそのまま残り、トリガーコンデンサー充電抵抗３３，サイリスタ３４，抵抗３５，トリガーコンデンサー３６が閃光発生部から移動し、トリガーコンデンサー３６からは３極に変更された出力コネクター１２７を介して閃光発生部１０３の電源入力コネクター１３１経由で、閃光発生部１０３内のトリガートランス３７の１次卷線に繋がり、キセノンランプ３２を点灯出来るようにされている。なを、信号入力コネクター３８は閃光発生部から中継部に移動されている。
【００１９】閃光発生部１０４に対してはトリガーコンデンサー充電抵抗４０とトリガーコンデンサー４１が中継部１０２内へ移動し、両者の結合点からは、３極に変更された出力コネクター１２８を介して閃光発生部１０４の電源入力コネクター１３９経由で、トリガートランス４４の１次卷線に繋がり、１次卷線の他端と２次卷線の結合点がキセノンランプ４２とＩＧＢＴの結合点に結ばれる。なお、トリガートランス４４の２次卷線の他端はキセノンランプのゲート電極に結ばれる。信号入力コネクター４５は図１と同様に閃光発生部に残り、ＩＧＢＴ４３のゲート、エミツター間に結ばれる。
なを、電源入力コネクター１３１の＋極、−極がキセノンランプ３２の陽電極、陰電極に結ばれる事も、電源入力コネクター１３９の＋極、−極間にキセノンランプ４２とＩＧＢＴ４３が結ばれるのも変化は無い。
【００２０】  ［動作及び効果の説明］
次ぎに、動作の説明を図１、図２，図３を用いて行う。
図１と図２ではトリガーコンデンサーと、トリガーコンデンサー充電抵抗と、トリガー駆動半導体が中継部に配置されるか、閃光発生部に配置されるかの差が有るのみである事、又、閃光発生部３、１０３と閃光発生部４、１０４はトリガー駆動半導体がサイリスタであるかＩＧＢＴであるかに基づく差があるのみであるから、説明の簡単化を目的に電源部１、中継部２，閃光発生部３の構成を中心に行う。
また、図３は上図で放電用コンデンサー２９に掛かる電圧ＶＣ２９を示し、下図でサイリスタ３４のゲートに加わる信号のタイミングを示す。
【００２１】  電源部１の入力コネクター６には、例えばＤＣ５ｖが与えられ、充電制御ＩＣ５の作用で充電用コンデンサー９を３００ｖ程に充電する。
充電用コンデンサーは耐電圧３５０ｖ程で静電容量１００μＦ程の物が好適である。
中継部２の入力コネクター２４を介して加わった高電圧は充電用抵抗２５を介して放電用コンデンサー２９を３００ｖ程に充電する。その状態を放電用コンデンサー２９に掛かる電圧波形図、図３のＶｃ２９のｉｎｉｔｉａｌで示す。
充電制御ＩＣ５の動作は本発明の一部であり、別途、詳細を後述する。
充電用抵抗２５は後に説明するが、１０ｋΩ程の値であり、小さすぎず、大きすぎない値に決められる。又、放電用コンデンサー２９は１μＦ〜１０μＦ程の充電用コンデンサー９の静電容量値より十分小さい値の物が用いられる。
【００２２】中継部の放電用コンデンサー２９が３００ｖ程に充電される時、閃光発生部３の、トリガーコンデンサー充電抵抗３３，トリガーコンデンサー３６，トリガートランス３７のループでトリガーコンデンサー３６も３００ｖ程に充電される。キセノンランプ３２は３００ｖ程の電圧が陽電極、陰電極に与えられるだけでは放電はせず、待機状態となる。
遊技制御回路４６の指示が、ドライバー４９を介してサイリスタ３４のゲートに与えられると、サイリスタ３４は導通し、トリガーコンデンサー３６に貯えられていた電荷がトリガートランス３７の一次側巻線を通して放電される。結果、トリガートランス３７の二次側に数千ボルトの高電圧を発生させ、キセノンランプ３２内のガスを電離させ、放電の種となり、一気に放電用コンデンサー２９の電荷を消化し、閃光を発する。
【００２３】  図３の上図は放電用コンデンサー２９に掛かる電圧ＶＣ２９を示し、下図はサイリスタ３４のゲートに加わる信号のタイミングを示す。
Ｔ０の待機状態の時間帯は、放電用コンデンサー２９には３００ｖが加わっている。サイリスタ３４のゲートに信号が加わると、Ｔａの短い時間でＶＣ２９は放電を維持出来ない低い電圧に低下すると共に、閃光を発する。低下の後には充電用抵抗２５と放電用コンデンサー２９の積で決まる時定数ＴＲＣで電圧は上昇し、十分な時間経過の後には３００Ｖとなる。なお、Ｔａは数μＳから数十μＳ程の短い時間であり、アーク放電が維持できない電流値、放電維持電流値に成るまで低下した時点で、放電は停止する。放電維持電流値が維持出来なくなる放電用コンデンサー２９の電圧をＶＬＩＭと記す。
【００２４】キセノンランプ３２を放電させるエネルギーは放電用コンデンサー２９だけで無いことに注意を要する。充電用コンデンサー９から充電用抵抗２５を介して電流Ｉ＝（３００−ＶＣ２９）／Ｒが加算される。抵抗値Ｒの大きさに因っては充電用コンデンサー９からの放電で閃光時間が長くなるばかりか、充電用抵抗２５が発熱、焼損になる。例えば、１００Ωであれば、３Ａが供給出来、約３００の二乗／１００の９００ワットが短時間とはいえ、発生する。大きすぎると後述の問題が生ずるが１０ＫΩ程の充電用抵抗２５が用いられる。
【００２５】次ぎに時定数ＴＲＣに付いて述べる。放電用コンデンサー２９の静電容量値は１〜１０μＦ程の、小さめの値の物が遊技者の目への疲労を少なくする目的で使われる。遊技の趣向の点からは秒間５回程の高速な閃光点滅が必要となる。図３のＴＲＥＰは２００ｍＳとなり、静電容量値が１μＦであれば、前述で充電用抵抗２５の値が１０ｋΩの時は、ＴＲＣ＝１０ｍＳで２００ｍＳより十分に小さいので、２００ｍＳ毎の閃光を可能とする。  今、静電容量値が１０μＦで有ったとすれば、ＴＲＣ＝１００ｍＳで２００ｍＳの１／２で余裕は少ないが２００ｍＳ毎の閃光を可能とする。
すなわち、外部から与えられるパルス信号の時間間隔値、例えば、２００ｍＳより小さく成るように定められている事で、外部からの指示に的確に閃光を発する物が製作可能となる。
【００２６】  以上の説明では特願２０１１−９５５０６の内容の電源部に有った充電用抵抗と閃光発生部に有った放電用コンデンサーを中継部に移動させたのみで、電気回路的な差異は無い。が、この差に、極めて重要な差異が生ずる。課題（１）で述べた許認可制度の下で作成される部品の、標準部分と特殊部分の事である。電源部に充電用抵抗を含む方式ではキセノンランプ２個用と５個用は別の型式である。  また、閃光の明るさの度合いは、放電用コンデンサーの静電容量値で決まる。
即ち、放電用コンデンサーを閃光発生部に配置すれば、明るい製品と暗めの製品は別の型式となる。  が、中継部に充電用抵抗と放電用コンデンサーを配置すれば、安価な中継部を変えれば単価的に大きな割合を占める電源部、閃光発生部を標準部品で済ます事が可能となる。
【００２７】課題（２）の可能な限り小型にする必要に対しても、特願２０１１−９５５０６では閃光発生部に配置される放電用コンデンサーは１μＦ程の積層セラミックスコンデンサーが、小型故考えられたがその５．７ｍｍ長さ、５．０ｍｍ幅の大きさが問題となる。また、明るい閃光が必要でもコンデンサーの増量がサイズの制約で困難であった。が、中継部は閃光発生部と異なり配置場所が自由の為、大きさの制約も少なく、必要な明るさに応じて大きめの静電容量値の物が利用できる。結果、積層セラミックスコンデンサーに限らず電解コンデンサー、フイルムコンデンサーが利用でき安価な製品が可能となる効果がある。
【００２８】又、充電用抵抗と放電用コンデンサーが中継部に有る事は、動作説明で述べた外部から与えられるパルス信号の時間間隔のどこまでに対応出来るか、即ち、繰り返し点滅性能が電源部、閃光発生部に依存せず、中継部のみで決まる事を示し、閃光発生器の性能と種類を決める、「明るさ度合い」「応答速度」「点灯させるキセノンランプの数」の全てを中継部が決める。
即ち、電源部、閃光発生部は全くの標準品とし、応用機種の変化には中継部のみを変化、生産すれば良い事で、その効用は大きい。
【００２９】  中継部に図２で示した、トリガーコンデンサーと、トリガーコンデンサー充電抵抗と、トリガー駆動半導体を中継部に移動させるか、図１の様に閃光発生部に配置させるかは、閃光発生部をどこまで小型化する必要があるかの度合いと、応用機種毎に新規に製作される中継部に汎用機能部品である、トリガーコンデンサーと、トリガーコンデンサー充電抵抗と、トリガー駆動半導体を乗せ、都度、廃棄される損失の度合いの選択の問題であり、一概にどちらが良いかは決まらない。が、電気性能的には図１に示した様に、閃光発生部に含ませた方がトリガートランスをより安定に動作出来る。また、トリガートランスは２次側卷線に５，０００ｖ程の高電圧を発生し、危険度、ノイズ問題等からキセノンランプの至近距離である閃光発生部内に置く事が必須である。
【００３０】結果、構成の必須条件は、電源部には充電用コンデンサーを有し、中継部には充電用抵抗と、放電用コンデンサーを有し、閃光発生部にはキセノンランプとトリガートランスを有し、他の必要部品は状況に応じて、配置場所を変えても良いことを意味する。
【００３１】  次ぎに、後に成ったが、図１の電源部１の動作説明をする。２つの説明部分の内、コンデンサーに蓄えられた電荷を非使用時に放電させ、安全確保する問題を説明する。段落００１２で説明した構成から、ジャンパーピン２２がヘッダー２３の極ｃ、極ｄ間に挿入されていれば、充電用コンデンサー９の電荷は放電されず、使用状態を意味する。一方、極ａ、極ｂ間に挿入されていれば、充電用コンデンサー９の電荷は抵抗２１を介してグランドに放電される。極ｂと極ｃを兼用の３極に出来るが、状態位置が明瞭な４極が好ましい。以上の説明は、余りにも当然で、説明するまでも無いと思われるが、キセノンランプの数、即ち、閃光発生部は遊技機１台に５個、１０個と用いられ、中継部に用いられる放電用コンデンサーも５個、１０個の数と成り、個々に放電用スイッチを設けるのは価格上昇に止まらず、入り、切りの間違いを生み、問題が有る。電源部で一括しての操作を可能とした本方式は閃光発生器を電源部、中継部、複数の閃光発生部と分離する場合重要である。
【００３２】  次ぎに、充電制御ＩＣ５による高電圧作成を段落００１２で述べた構成説明と図１に従って行う。入力コネクター６を介して端子ＶＣＣに外部電源の＋電源が供給され、端子ＧＮＤが入力コネクター６の−側に結ばれる事で充電制御ＩＣ５の内部回路が作動可能状態となる。又、同＋電源が昇圧トランス７の１次側卷線を介して端子ＳＷに結ばれ、端子ＰＧＮＤがグランドされる事で、充電制御ＩＣ５内のＦＥＴのスイッチがＯＮ−ＯＦＦすれば昇圧トランス７の２次側に高電圧が発生する事を意味する。昇圧トランス７の２次側卷線の一方をグランドし、他方をダイオード８を介して充電用コンデンサー９の＋極に結んでいるので、充電用コンデンサー９には直流の高電圧が発生する。昇圧トランス７の２次側卷線の高電圧側から、符号１１の抵抗Ｒ１と符号１２の抵抗Ｒ２の分割電圧が端子ＶＣに加えられる事の意味合いは、分割電圧が規定の数値に達したら先述のＳＷに繋がった内部ＦＥＴの動作に影響を与え、充電用コンデンサー９の電圧を一定にする役目を持つ。充電用コンデンサー電圧Ｖｃａｐは約  Ｖｃａｐ≒（Ｒ１＋Ｒ２）／Ｒ２で表され、外部電源電圧、昇圧トランスの巻線比に依存せず、抵抗値のみで決まり安定な製品が製作可能である。
【００３３】  充電開始信号入力端子ＳＴＡＲＴに関し、上述では述べなかったが、電位ロー（以後Ｌとも記す）なら動作せす、ハイ（以後Ｈとも記す）なら上述の動作に従い充電用コンデンサーを満充電にする。満充電に達すると充電完了信号出力端子である端子ＦＵＬＬは抵抗１３でプルアップされている事からＨ状態からＬへの変化信号を出力する。
カメラの用途ではこのＦＵＬＬの出力信号を利用して、サイリスタ、ＩＧＢＴを動作しストロボ発光、写真撮影の動作となる。
【００３４】  が、遊技機等への利用では、充電完了信号のタイミングと遊技制御回路が閃光を指示するタイミングは無関係となる。さらに、好ましくない現象として、充電開始信号入力端子ＳＴＡＲＴが「開始指示のＨ」のままでも、充電完了信号が出た後は充電用コンデンサーの電位が低下しても再充電をしないと言う問題がある。勿論、カメラ用では何ら問題でないが、他への転用では問題である。即ち、継続充電を行う手段が必要である。
【００３５】  この問題を解決する為に、端子ＦＵＬＬからバッファ１４を介し、遅延回路経由でＡＮＤ回路１９の１方の入力に与え、他方の入力にはＶＣＣを与え、ＡＮＤ回路出力をＳＴＡＲＴに与える方法を取っている。ここで、遅延回路は符号１５の抵抗Ｒ３とコンデンサー１６の積分回路と抵抗Ｒ３と並列な符号１８の抵抗Ｒ４とダイオード１７の直列部品からなる。但し、ダイオード１７はコンデンサー１６側がアノードで、コンデンサー１６の電荷がバッファ１４へ放電し易いが充電されにくい性質を持つ。Ｒ３の抵抗値はＲ４の抵抗値より大きく決められる。
【００３６】  その動作を図４のチャート図で説明する。図の（ａ）部は充電制御ＩＣ５が本来持っている性質を示し、充電開始信号入力端子ＳＴＡＲＴにハイの電位が与えられると発振開始し、充電用コンデンサーの電位Ｖｃａｐの電位を上昇させ、満充電に成ると、充電完了信号出力端子ＦＵＬＬをハイからローに変化させる事と、ＳＴＡＲＴ電位がハイのままであるのに、Ｖｃａｐが低下しても、ＦＵＬＬ端子が「満充電」を意味するローの信号を出したままであることを示している。
【００３７】  図（ｂ）の本発明の場合は、電源投入時は充電開始信号としてＡＮＤ回路１９の一方の入力端子にＶｃｃ端子からＨが与えられると、ＦＵＬＬ端子のＨをバッファ１４を介し、抵抗Ｒ３経由、コンデンサー１６を充電する時間Ｔｓの遅れの後、ＳＴＡＲＴはＨに成り、発振出力を出し、充電用コンデンサーの電位Ｖｃａｐを上昇させる。満充電に成ると、ＦＵＬＬ端子にＬの出力が出ると共に、発振出力も停止する。ＦＵＬＬ端子がＬに成った為、バッファ１４の出力もＬに成り、コンデンサー１６の電荷はダイオード１７，抵抗Ｒ４のル−プと抵抗Ｒ３のループで放電し、電位ＶＣ１６は図示の様に時定数Ｒ４＊Ｃ１６で低下する。但し、Ｒ３はＲ４より十分大きな値とし、その効果は無視する。電位がＡＮＤ回路がＬと判定する電位ＶＬまで低下すると、出力はＬになり、ＳＴＡＲＴにはＬが加わる。充電制御ＩＣ５の性質からＳＴＡＲＴのＬでＦＵＬＬは再動作開始を読みとり、Ｈの出力を出す。結果、バッファ１４から抵抗Ｒ３を介してコンデンサー１６は充電され、電位の上昇が始まる。時定数Ｒ３＊Ｃ１６の速度で上昇し、電位ＶＨまでに達するとＡＮＤ回路の出力はＨを出し、ＳＴＡＲＴにＨが送られ発振出力を出す。ＶＣＡＰが上昇し、満充電を検知しＦＵＬＬ端子にＬが出力されれば、前述の繰り返しでＶＣ１６が低下し、ＳＴＲＡＴをＬにする。結果、ＦＵＬＬ端子がＨに成り、と、動作を繰り返し、充電用コンデンサーの電位ＶＣＡＰは安定に、高い電位が保たれる。説明のため、図４のＶＣＡＰの変動は大きく書かれているが、実際は小さな変動に保たれる。上記説明を要約すると、充電完了信号出力端子からの信号から遅延信号を作成し、同遅延信号と充電開始信号をＡＮＤ処理を行い、ＡＮＤ処理の出力を充電開始信号入力端子に与えて継続充電指示手段を構成しているのである。
【００３８】  ＡＮＤ回路１９は前述の説明で電位ＶＨ、ＶＬを用いて述べた様に、ヒステリシス付きの物が望ましい。但し、ヒステリシス特性はＡＮＤ回路１９に与えなくても、バッファ１４を２段のヒステリシス付きインバートバッファで構成し、中間部に前述のコンデンサー１６を含む遅延回路を移動させれば、同様の特性が得られる。また、ヒステリシス付きでないＡＮＤ回路でもＯＮ判定レベルとＯＦＦ判定レベルには差が有り通常のＡＮＤ回路でも作動はする。又、バッファ１４を省略し、直接ＦＵＬＬ端子で駆動する事も可能であるし、符号１８の抵抗Ｒ４，ダイオード１７を省略しても作動自体はする。が、図示の様にコンデンサー１６を充放電する時間に差を設ける方が、より省電力型の電源が作成出来る。
【００３９】  以上の説明での充電制御ＩＣ５はＢＤ４２２３と言う型式の物に付いて述べてた。他にＭＡＸ８６２２と言う型式の物が広く知られている。ＭＡＸ８６２２は一定時間毎に再ＳＴＡＲＴし上述の様な追加の作業をしなくても充電用コンデンサーを充電する。但し、繰り返しの時間は１１秒に固定されており、遊技機の様な、閃光させるタイミングが不定で、且つ、高頻度で閃光させるには、１１秒間は作動出来ないでは使えず、ＭＡＸ８６２２を用いる場合でも同様に、上述の追加が必要である。
【００４０】  以上、実施例に基づきハード的手段である遅延回路で、充電完了信号を検知した後に充電開始を再起動させる手段を述べてきたが、マイコンを用いて、ソフト的に遅延出来る事は当然であるし、継続充電を指示する、充電開始信号とＡＮＤ論理を組める事も当然である。即ち、本発明は実施例の回路に限らず、充電完了信号出力端子と充電開始信号入力端子を有する充電制御ＩＣを使用するものであって、同充電完了信号出力端子からの信号から遅延信号を作成し、同遅延信号と充電開始信号をＡＮＤ処理を行い、ＡＮＤ処理の出力を充電開始信号入力端子に与える手段を備えたものはハード、ソフトを問わず含まれる。
なお、使い捨てカメラで採用されている、充電制御ＩＣを用いず、トランスとトランジスターのみで連続な高電圧を得る手段は、より、簡単で優れる。との見方に対して、充電無用な時間帯はムダな充電動作を休止しつつ、常に継続充電を行う本方式は省電力の点で優れる事を追記する。
【００４１】［閃光発生部の部品配置例］
次ぎに、図５を用いて、小型化が実現出来た閃光発生部の実施例を説明する。図（ａ）は正面図、図（ｂ）は側面図であり、含まれる部材は図１の閃光発生部３と同一の符号で示した。プリント基板６０上には電源入力コネクター３１，キセノンランプ３２，トリガーコンデンサー充電抵抗３３，サイリスタ３４，抵抗３５，トリガーコンデンサー３６，トリガートランス３７，信号入力コネクター３８が設けられている。プリント基板６０の端部には反射板受け切り欠き６０ａが設けられ、反射板６１を受け入れる。又、キセノンランプ受け切り欠き６０ｂも設けられ、キセノンランプ３２のガラス管部を受入、陽電極３２ａ、陰電極３２ｂがプリント基板上のパターンに接して、半田付けが容易に出来る様にされている。反射板６１は屋根型であり、上部６１ａはキセノンランプ３２のガラス管部の径になじむ径の曲げ加工がされ、側部６１ｂにつながる。底部は開口し光りの放出を妨げない。又、プリント基板６０の反射板受け切り欠き６０ａに入れられると、長さ、幅寸法の関係で横方向にも、奥行き方向にも動けなく、上下方向のみ移動可能とされる。
反射板６１はプリント基板６０上に、一端が半田付けされた反射板押さえ６２で、上部６１ａが接し、押さえられる。反射板押さえ６２は燐青銅等のバネ性部材で作られ、たわみの力で、反射板６１をキセノンランプ３２のガラス管に接するように押しつける。反射板６１と反射板押させ６２がゲート電極の働きをする。６３は止めネジである。
【００４２】  図は拡大して描かれているが、本例のプリント基板６０は縦、横２５ミリ程の大きさであり、実用に成りうる大きさと成った。キセノンランプ自体の寸法、トリガートランスの５，０００Ｖ程の高電圧の問題を改善すれば更なる小型化の方向性を示した。
【００４３】  以上の説明で、数十μＳと短時間の閃光で、インパクトは強いが消費電力は極めて少ないと言う特徴を有するキセノンランプを５個、１０個と複数個に対して、１個の電源部と１個の中継部で構成できる手段を提供した効果は大きいと言える。
【００４４】
【符号の説明】
【００４５】１                    電源部
２                    中継部
３                    閃光発生部
４                    閃光発生部
５                    充電制御ＩＣ
６                    入力コネクター
７                    昇圧トランス
８                    ダイオード
９                    充電用コンデンサー
１０                  出力コネクター
１１                  抵抗Ｒ１
１２                  抵抗Ｒ２
１３                  抵抗
１４                  バッファ
１５                  抵抗Ｒ３
１６                  コンデンサー
１７                  ダイオード
１８                  抵抗Ｒ４
１９                  ＡＮＤ回路
２０                  充電開始信号
２１                  抵抗
２２                  ジャンパーピン
２３                  ヘッダー
２４                  入力コネクター
２５                  充電用抵抗
２６                  充電用抵抗
２７                  出力コネクター
２８                  出力コネクター
２９                  放電用コンデンサー
３０                  放電用コンデンサー
３１                  電源入力コネクター
３２                  キセノンランプ
３３                  トリガーコンデンサー充電抵抗
３４                  サイリスタ（トリガー駆動半導体）
３５                  抵抗
３６                  トリガーコンデンサー
３７                  トリガートランス
３８                  信号入力コネクター
３９                  電源入力コネクター
４０                  トリガーコンデンサー充電抵抗
４１                  トリガーコンデンサー
４２                  キセノンランプ
４３                  ＩＧＢＴ（トリガー駆動半導体）
４４                  トリガートランス
４５                  信号入力コネクター
４６                  遊技制御回路
４７                  直流電源
４８                  入力信号
４９                  ドライバー
５０                  ドライバー
６０                  プリント基板
６０ａ                反射板受け切り欠き
６０ｂ                キセノンランプ受け切り欠き
６１                  反射板
６１ａ                上部
６１ｂ                側部
６２                  反射板押さえ
６３                  取付ネジ
１０２                中継部
１０３                閃光発生部
１０４                閃光発生部
１２７                出力コネクター
１２８                出力コネクター
１３１                電源入力コネクター
１３９                電源入力コネクター
ＳＴＡＲＴ            充電開始信号入力端子
ＦＵＬＬ              充電完了信号出力端子
【図１】
2012234786.tif 000003
【図２】
2012234786.tif 000004
【図３】
2012234786.tif 000005
【図４】
2012234786.tif 000006
【図５】
2012234786.tif 000007